(57)【特許請求の範囲】
【請求項１】
前方に突出するフード部を有するとともに、そのフード部の上面にロック用受け部が形成されている相手側コネクタに対して嵌合・離脱されるものであって、
前記フード部に嵌合されるハウジングと、
このハウジングの上面に設けられ、前記相手側コネクタと正規嵌合した状態では前記ロック用受け部に係止することでその正規嵌合状態を保持するロックアームと、
前記ハウジングに設けられ、前記相手側コネクタに対する嵌合・離脱方向と平行に前後移動可能とされたスライダと、
このスライダを前方へ付勢する付勢バネとを備えてなり、
前記相手側コネクタに対する嵌合及び離脱の途中では、前記スライダが前記フード部に当接して前記付勢バネに付勢力を蓄勢させつつ後退した状態とされるようにしたコネクタにおいて、
前記付勢バネ及び前記スライダにおける前記フード部への当接部が、前記ハウジングの上面に沿って前記ロックアームを挟むように左右一対ずつ配され、
前記スライダは前記ハウジングに対して傾動を可能とされており、
前記相手側コネクタとの嵌合過程においては、嵌合に伴って後退した前記スライダの被規制部が前記ハウジングの後退規制部に突き当たり、それ以降は嵌合が進むのに伴って前記スライダが前記当接部を前記フード部から解離させる方向へ傾動し、
正規嵌合状態に至ると、前記当接部が前記フード部から解離し、前記スライダが前記当接部を前記フード部の上面に摺接させつつ前記付勢バネの付勢によって前進する構成としたことを特徴とするコネクタ。
【請求項２】
前記スライダと前記ロックアームとには、前記相手側コネクタと正規嵌合し、且つ前記ロックアームが前記ロック用受け部から解離する姿勢に変位している状態において、前記フード部から解離した前記スライダが前進する過程で当接する押動部と被押動部とが設けられており、
この押動部と被押動部との当接により、前記スライダが前進しつつ前記ロックアームを前記ロック用受け部と係止する方向へ押動する構成とされていることを特徴とする請求項１記載のコネクタ。
【請求項３】
前記スライダは、後退した位置において、前記ロックアームの前記ロック用受け部への係止を許容するロック許容姿勢と、前記ロックアームを前記ロック用受け部から解離させる方向へ変位させるロック解除姿勢との間での傾動を可能とされており、
前記スライダをロック解除姿勢へ傾動させた状態では、前記スライダの前記当接部が前記フード部に当接して、前記付勢バネに蓄勢された付勢力が前記スライダを介して前記フード部に付与される構成としたことを特徴とする請求項１または請求項２に記載のコネクタ。
【発明の詳細な説明】
【０００１】
【発明の属する技術分野】
本発明は、半嵌合検知機能を備えたコネクタに関するものである。
【０００２】
【従来の技術】
半嵌合検知機能を備えたコネクタとして、従来、特開２００１−８５１１１公報に開示されているものがある。このコネクタは、前方に突出するフード部を有する相手側コネクタに対して嵌合・離脱されるものであって、フード部に嵌合されるハウジングと、相手側コネクタに対する嵌合・離脱方向と平行に前後移動可能なスライダと、このスライダを前方へ付勢する付勢バネとを備えている。コネクタを相手側コネクタのフード部に嵌合する途中では、フード部に当接したスライダが付勢バネに付勢力を蓄勢させつつ後退するようになっており、半嵌合状態で嵌合操作を中断した場合には、付勢バネの付勢によりスライダが前進しつつフード部を押し戻して両コネクタが強制的に離脱される。また、正規嵌合状態の両コネクタを離脱させる際にはスライダを後退させておき、離脱操作を中断した場合には、付勢バネの付勢によりスライダが前進しつつフード部を押し戻して両コネクタが強制的に離脱される。即ち、嵌合時と離脱時のいずれにおいても、両コネクタが半嵌合の状態で操作を中断した場合には、必ず、両コネクタが強制的に離脱されるのであって、この強制的離脱動作によって半嵌合状態であったことが判る。
【０００３】
【発明が解決しようとする課題】
上記従来のコネクタでは、付勢バネ及びスライダにおけるフード部への当接部が、ハウジングの左右両側壁に沿うように左右一対設けられていたため、ハウジングの左右方向の幅寸法が大きくなる、という問題があった。
本願発明は上記事情に鑑みて創案され、ハウジングの左右方向の幅寸法を小さくすることを目的としている。
【０００４】
【課題を解決するための手段】
請求項１の発明は、前方に突出するフード部を有するとともに、そのフード部の上面にロック用受け部が形成されている相手側コネクタに対して嵌合・離脱されるものであって、前記フード部に嵌合されるハウジングと、このハウジングの上面に設けられ、前記相手側コネクタと正規嵌合した状態では前記ロック用受け部に係止することでその正規嵌合状態を保持するロックアームと、前記ハウジングに設けられ、前記相手側コネクタに対する嵌合・離脱方向と平行に前後移動可能とされたスライダと、このスライダを前方へ付勢する付勢バネとを備えてなり、前記相手側コネクタに対する嵌合及び離脱の途中では、前記スライダが前記フード部に当接して前記付勢バネに付勢力を蓄勢させつつ後退した状態とされるようにしたコネクタにおいて、前記付勢バネ及び前記スライダにおける前記フード部への当接部が、前記ハウジングの上面に沿って前記ロックアームを挟むように左右一対ずつ配され、前記スライダは前記ハウジングに対して傾動を可能とされており、前記相手側コネクタとの嵌合過程においては、嵌合に伴って後退した前記スライダの被規制部が前記ハウジングの後退規制部に突き当たり、それ以降は嵌合が進むのに伴って前記スライダが前記当接部を前記フード部から解離させる方向へ傾動し、正規嵌合状態に至ると、前記当接部が前記フード部から解離し、前記スライダが前記当接部を前記フード部の上面に摺接させつつ前記付勢バネの付勢によって前進する構成とした。
【０００６】
請求項２の発明は、請求項１の発明において、前記スライダと前記ロックアームとには、前記相手側コネクタと正規嵌合し、且つ前記ロックアームが前記ロック用受け部から解離する姿勢に変位している状態において、前記フード部から解離した前記スライダが前進する過程で当接する押動部と被押動部とが設けられており、この押動部と被押動部との当接により、前記スライダが前進しつつ前記ロックアームを前記ロック用受け部と係止する方向へ押動する構成とした。
【０００７】
請求項３の発明は、請求項１または請求項２の発明において、前記スライダは、後退した位置において、前記ロックアームの前記ロック用受け部への係止を許容するロック許容姿勢と、前記ロックアームを前記ロック用受け部から解離させる方向へ変位させるロック解除姿勢との間での傾動を可能とされており、前記スライダをロック解除姿勢へ傾動させた状態では、前記スライダの前記当接部が前記フード部に当接して、前記付勢バネに蓄勢された付勢力が前記スライダを介して前記フード部に付与される構成とした。
【０００８】
【発明の作用及び効果】
［請求項１の発明］
相手側コネクタとの嵌合作業を中断したときには、付勢バネに蓄勢されている付勢力によってスライダがフード部を押すことにより、ハウジングが相手側コネクタから強制的に離脱される。また、相手側コネクタからの離脱作業を中断したときにも、付勢バネに蓄勢されている付勢力によってスライダがフード部を押すことにより、ハウジングが相手側コネクタから強制的に離脱される。即ち、相手側コネクタに対して半嵌合状態のときには、必ず、相手側ハウジングから強制的に離脱されるのであり、この強制的離脱動作によって半嵌合状態であったことが判る。
【０００９】
付勢バネ及びスライダにおけるフード部への当接部を、ハウジングの上面に沿ってロックアームを挟むように左右一対ずつ設けたので、付勢バネ及びスライダにおけるフード部への当接部をハウジングの左右両側に設けた構造のコネクタに比べると、左右方向の幅寸法が小さくなる。
また、相手側コネクタと正規嵌合した状態では、スライダがフード部から解離して前進するようにしたので、付勢バネに蓄勢された付勢力が解放される。したがって、正規嵌合状態が長期間継続した場合に、付勢バネが弾性的なヘタリを生じる虞はない。
【００１０】
［請求項２の発明］
正規嵌合状態においてロックアームがロック用受け部から解離した状態のままであっても、スライダが前進するときにロックアームをロック用受け部に係止する方向へ押動するので、ロックアームとロック用受け部とによるロックが確実に機能する。
［請求項３の発明］
スライダをロック解除姿勢に傾動させる操作を行えば、ロックアームとロック用受け部とによるロックが解除されて相手側コネクタからの離脱が可能になると同時に、スライダの当接部がフード部に当接して付勢バネの付勢力がフード部に付与されて半嵌合の検知が可能となる。このように本発明によれば、スライダを傾動させるというワンアクションの操作によって、相手側コネクタからの離脱の準備と半嵌合検知の準備の双方が整うようになっているので、操作性に優れている。
【００１１】
【発明の実施の形態】
［実施形態１］
以下、本発明を具体化した実施形態１を図１乃至図１２を参照して説明する。本実施形態のコネクタＦが嵌合される相手側コネクタＭは、前方に突出するフード部Ｍａを有し、そのフード部Ｍａ内には雄端子金具Ｍｂが突出されているとともに、フード部Ｍａの外周上面には突起状をなすロック用受け部Ｍｃが形成されている。
本実施形態のコネクタＦは、ハウジング１０と、スライダ３０と、付勢バネ２５と、雌端子金具１３とを備えて構成されている。ハウジング１０は合成樹脂製であって、フード部Ｍａ内に進入するハウジング本体１１と、フード部Ｍａに外嵌される筒状嵌合部１２とを有する。ハウジング本体１１内には雌端子金具１３が収容されている。また、筒状嵌合部１２のうちハウジング本体１１の上面と対応する領域は、上方へ角形に張り出した形態の箱部１４となっていて、その箱部１４の内部が、ハウジング本体１１の外周上面に臨む作動空間１５となっている。また、箱部１４の上面壁のうち前後方向における後側のほぼ２／３の領域には、作動空間１５を上方へ開放させる切欠部１６が形成されている。
【００１２】
ハウジング１０の外周上面には、その幅方向（左右方向）における中央に位置するとともに作動空間１５内に臨むようにしてロックアーム１７が形成されている。ロックアーム１７は、その後端部においてハウジング本体１１の外周上面に支持され、その支持部１７Ａを支点として上下方向へ弾性変位し得るようになっている。相手側コネクタＭと正規嵌合した状態では、ロックアーム１７の前端の下向きのロック突起１７Ｂがロック用受け部Ｍｃに係止し、もって、両コネクタＦ，Ｍが正規嵌合状態にロックされる。また、ロックアーム１７には、その支持部１７Ａよりも後方へ延出するロック解除用被操作部１７Ｃが形成されている。さらに、ロックアーム１７の上面における前端近傍の位置には、台形の突起状をなす被押動部１７Ｄが形成されている。
【００１３】
箱部１４（作動空間１５）を構成する左右両側壁には、その内面に沿って前後方向に延びるとともに、前端に前止まり部１８Ａが設けられたガイド溝１８が形成されている。このガイド溝１８は、弾性変位していないロックアーム１７とほぼ同じ高さに設けられている。また、左右両側壁の後端部には、ガイド溝１８よりも上方に位置するとともに内側へ突出する一対の後退規制部２０が形成されている。さらに、箱部１４（作動空間１５）を構成する左右一対の後面壁には、前方へ突出する略円錐形のバネ受け部２１が、ガイド溝１８及び弾性変位していないロックアーム１７とほぼ同じ高さに設けられている。
【００１４】
スライダ３０は、前端が閉塞されるとともに後端が開放された筒状をなす左右一対のバネ収容部３１と、この両バネ収容部３１の上端同士を連結する略水平板状の連結部３２とからなり、バネ収容部３１の上面と連結部３２の上面とは面一状に連続している。また、スライダ３０の左右両外側面には、円形をなす一対のガイドピン３３が突成されている。かかるスライダ３０は、作動空間１５内に収容され、その両ガイドピン３３をガイド溝１８に遊嵌させることにより、前後方向（即ち、相手側コネクタＭに対する嵌合・離脱方向）への移動を可能とされている。また、ガイドピン３３の外径はガイド溝１８の溝幅（上下方向の寸法）よりも小径とされているため、スライダ３０がその前後移動領域内のいずれの位置にあっても、上下方向へ変位することが許容されている。
【００１５】
作動空間１５内に収容されたスライダ３０は、ハウジング本体１１の外周上面に沿い、且つロックアーム１７を跨ぐように配されている。即ち、左右一対のバネ収容部３１はロックアーム１７を挟むようにその両側に位置し、連結部３２はロックアーム１７の上方に位置する。そして、このバネ収容部３１内には圧縮コイルバネからなる付勢バネ２５の略前半部分が収容されており、したがって、付勢バネ２５も、ハウジング本体１１の外周上面に沿い、且つロックアーム１７を挟むように配されている。
【００１６】
尚、スライダ３０は、その両バネ収容部３１の外側面を箱部１４の左右両側壁の内面に当接させるとともに、両バネ収容部３１の内側面をロックアーム１７の左右両側面に当接させることにより、左右方向への遊動を規制されている。
また、バネ収容部３１に収容されている付勢バネ２５の後端部はバネ受け部２１に嵌合されている。この付勢バネ２５の弾性復元力により、常には、スライダ３０がそのガイドピン３３をガイド溝１８の前止まり部１８Ａに当接させた前端位置（図６を参照）に保持されている。したがって、スライダ３０が後退するのに伴い、付勢バネ２５には付勢力が蓄勢される。また、この前端位置に保持されたスライダ３０は、その連結部３２の前端を箱部１４の上面壁に下から当接させた水平姿勢となっている。
【００１７】
また、スライダ３０は、その前後移動領域のいずれの位置にあっても、付勢バネ２５をその軸線が湾曲するように変形させつつ、水平姿勢に対して前傾姿勢と後傾姿勢のいずれの姿勢へも変位し得るようになっている。尚、スライダ３０が前傾姿勢に変位するときには、スライダ３０の後端部が箱部１４の切欠部１６内に入り込むことにより、箱部１４とスライダ３０との干渉が回避されるようになっている。
【００１８】
スライダ３０には、その左右両バネ収容部３１の後端下面から下方へ突出する左右一対の当接部３５が形成されている。この当接部３５は、スライダ３０が水平姿勢のときにフード部Ｍａの上壁部前端縁に当接する高さとされている。この左右両当接部３５はバネ収容部３１から下向きに突出しているので、バネ収容部３１及び付勢バネ２５と同様に、ハウジング本体１１の外周上面に沿い、且つロックアーム１７を挟むようにその左右両側に位置している。
【００１９】
スライダ３０の連結部３２の前端縁は押動部３６となっており、この押動部３６は、両コネクタＦ，Ｍが正規嵌合し、且つロックアーム１７がロック用受け部Ｍｃから解離するように前端を上動させた姿勢に弾性変位している状態において、フード部Ｍａから解離したスライダ３０が前進する過程でロックアーム１７の被押動部１７Ｄに対して後方から当接するようになっている。押動部３６と被押動部１７Ｄが当接した状態では、被押動部１７Ｄが台形をなしていることから、スライダ３０の前方への押動力がロックアーム１７に対して下方、即ちロック用受け部Ｍｃに対して係止する方向への押動力として付与される。
【００２０】
また、スライダ３０には、そのバネ収容部３１の外側面後端部から外向きに突出する被規制部３７が形成されている。この被規制部３７は、スライダ３０が水平姿勢のときには、箱部１４の後退規制部２０とほぼ同じ高さとされている。また、スライダ３０が前端位置にあるときには、被規制部３７は後退規制部２０よりも前方に位置する。さらに、スライダ３０には、その連結部３２を後方へ板状に延長させた形態のロック解除操作部３８が形成されている。スライダ３０が前端位置にある状態では、ロック解除操作部３８はロックアーム１７のロック解除用被操作部１７Ｃよりも前方に位置する。
【００２１】
次に、本実施形態の作用を説明する。
本実施形態のコネクタＦを相手側コネクタＭに嵌合する際には、ハウジング本体１１をフード部Ｍａ内に入り込ませるとともに筒状嵌合部１２をフード部Ｍａに外嵌させる。すると、図６に示すように、ロックアーム１７の前端のロック突起１７Ｂがフード部Ｍａのロック用受け部Ｍｃに当接するとともに、スライダ３０の当接部３５がフード部Ｍａの前端に接近した状態となる。この状態から更に嵌合が進むと、図７に示すように、ロック突起１７Ｂがロック用受け部Ｍｃに乗り上がり始めるとともに、当接部３５がフード部Ｍａの前端に当接する状態となる。この状態から嵌合が進むと、フード部Ｍａの前端に当接部３５を当接させているスライダ３０が、付勢バネ２５の弾力に抗して、即ち付勢バネ２５に付勢力を蓄勢させつつハウジング１０に対して相対的に後退し、図８に示すように、ロックアーム１７のロック突起１７Ｂがロック用受け部Ｍｃに完全に乗り上がってそのロックアーム１７の弾性変位量が最大になるとともに、スライダ３０の被規制部３７がハウジング１０（箱部１４）の後退規制部２０に対して前方から当接する状態となる。この状態ではスライダ３０の後端部における上端位置はそれ以上後方へ変位することはできない。
【００２２】
この状態からさらに嵌合が進むと、図９に示すように、フード部Ｍａがスライダ３０の下端の当接部３５を後方へ押すことにより、スライダ３０が、ガイドピン３３を略支点として前傾するように傾動変位する。この傾動に伴い、スライダ３０の当接部３５はフード部Ｍａに対して僅かではあるが上方へ外れるように変位する。換言すると、両コネクタＦ，Ｍの嵌合及びスライダ３０の傾動が進むのに伴い、当接部３５とフード部Ｍａとの係止代が減少していく。
【００２３】
そして、両コネクタＦ，Ｍが正規嵌合状態に至ると、図１０に示すように、ロックアーム１７のロック突起１７Ｂがロック用受け部Ｍｃを通過するためロックアーム１７が水平な姿勢に弾性復帰し、ロック突起１７Ｂがロック用受け部Ｍｃに対してその後方から係止し、もって両コネクタＦ，Ｍが離脱不能にロックされる。また、両コネクタＦ，Ｍが正規嵌合されると、スライダ３０の当接部３５がフード部Ｍａの前端から上方へ外れる。すると、付勢バネ２５に蓄勢された弾性復元力により、スライダ３０は、前傾姿勢のままその当接部３５をフード部Ｍａの上面に摺接させつつ前進し、ガイドピン３３をガイド溝１８の前止まり部１８Ａに当接させる前端位置に復帰する（図１０を参照）。
【００２４】
尚、図９に示すように、正規嵌合の直前の状態では、スライダ３０の押動部３６が、付勢バネ２５の弾力により、ロック用受け部Ｍｃから解離している状態（ロック用受け部Ｍｃに乗り上がっている状態）のロックアーム１７の被押動部１７Ｄに対して後方から押圧する状態となる。したがって、両コネクタＦ，Ｍが正規嵌合状態に至ったときに何らかの原因でロックアーム１７がそれ自身の弾性復元力によってロック用受け部Ｍｃに係止する水平姿勢に弾性復帰できなくても、スライダ３０からの押圧力により、ロックアーム１７が下方、即ちロック用受け部Ｍｃに係止する方向へ強制的に変位させる。
【００２５】
また、図６から図９に至る半嵌合の状態では、スライダ３０がフード部Ｍａに当接して付勢バネ２５に付勢力を蓄勢させつつ後退した状態となっているため、この半嵌合の状態で嵌合作業を中断した場合には、付勢バネ２５に蓄勢されている付勢力によってスライダ３０が前進しつつフード部Ｍａを押し戻すようになり、両コネクタＦ，Ｍが強制的に離脱される。この強制的な離脱動作により、両コネクタＦ，Ｍが正規嵌合に至らずに半嵌合状態であったことが判る。
【００２６】
次に、正規嵌合されている両コネクタＦ，Ｍを離脱する作業について説明する。まず、図１０に示す状態から、スライダ３０を前傾姿勢のままで付勢バネ２５に付勢力を蓄勢させつつ後方へスライドさせる。そして、スライダ３０の被規制部３７がハウジング１０の後退規制部２０に当接したら、被規制部３７が後退規制部２０を乗り越えるようにするためにスライダ３０を前傾させつつ更に後退させる。そして、被規制部３７が後退規制部２０の上を通過したら、スライダ３０の前傾を少し戻して水平に近い姿勢、即ちロックアーム１７のロック用受け部Ｍｃへの係止を許容するロック許容姿勢とし、被規制部３７が後退規制部２０の後方に位置するようにする（図１１を参照）。
【００２７】
この状態から、スライダ３０を前進させることなく、その後端のロック解除操作部３８を押し下げて、スライダ３０をガイドピン３３を略支点として後傾姿勢、即ちロック解除姿勢へ変位させる。スライダ３０をロック解除姿勢に変位させると、ロック解除操作部３８がロックアーム１７の後端のロック解除用被操作部１７Ｃを強制的に押し下げ、これにより、ロックアーム１７がそのロック突起１７Ｂをロック用受け部Ｍｃから上方へ解離させたロック解除姿勢に変位する。
【００２８】
あとは、このロック解除状態（スライダ３０をロック解除姿勢にしてロックアーム１７をロック用受け部Ｍｃから解離させた状態）を保ったまま、両コネクタＦ，Ｍを引き離せばよい。このようにして両コネクタＦ，Ｍを離脱した後は、スライダ３０から手を離せば、図４及び図５に示すように、スライダ３０が水平姿勢に弾性復帰して前端位置に復帰するとともに、ロックアーム１７水平な姿勢に弾性復帰する。
【００２９】
また、スライダ３０をロック解除姿勢に変位させると、スライダ３０の当接部３５が下方へ変位してフード部Ｍａの前端に当接し、付勢バネ２５に蓄勢された付勢力がスライダ３０を介してフード部Ｍａに付与された状態になるとともに、被規制部３７が後退規制部２０よりも下方にずれてスライダ３０の前進を許容する状態となる（図１２を参照）。したがって、この状態で離脱作業を中断した場合には、付勢バネ２５に蓄勢されている付勢力によってスライダ３０が前進しつつフード部Ｍａを押し戻すようになり、両コネクタＦ，Ｍが強制的に離脱される。この強制的な離脱動作により、両コネクタＦ，Ｍが半嵌合状態のままで離脱作業が中断された、ということが判るのである。
【００３０】
上述のように本実施形態においては、付勢バネ２５及びスライダ３０におけるフード部Ｍａへの当接部３５を、ハウジング１０の上面に沿ってロックアーム１７を挟むように左右一対ずつ設けたので、付勢バネ及びスライダにおけるフード部への当接部をハウジングの左右両側に設けた従来構造のコネクタに比べると、左右方向の幅寸法が小さくなっている。
また、スライダ３０を傾動可能とし、両コネクタＦ，Ｍが正規嵌合した状態では、スライダ３０がフード部Ｍａから解離して付勢バネ２５の付勢にしたがって前進するようにしたので、付勢バネ２５に蓄勢された付勢力は解放されることになる。したがって、正規嵌合状態が長期間継続した場合でも、付勢バネ２５が弾性的なヘタリを生じる虞はない。
【００３１】
また、スライダ３０とロックアーム１７に押動部３６と被押動部１７Ｄを設け、両コネクタＦ，Ｍが正規嵌合した状態においてロックアーム１７がロック用受け部Ｍｃから解離した状態のままであっても、スライダ３０が前進するときにロックアーム１７をロック用受け部Ｍｃに係止する方向へ押動するので、ロックアーム１７とロック用受け部Ｍｃとによるロックが確実に機能する。
また、両コネクタＦ，Ｍを離脱する際には後退させたスライダ３０をロック解除姿勢に傾動させる操作を行えば、ロックアーム１７とロック用受け部Ｍｃとによるロックが解除されて相手側コネクタＭからの離脱が可能になると同時に、スライダ３０の当接部３５がフード部Ｍａに当接して付勢バネ２５の付勢力がフード部Ｍａに付与されて半嵌合の検知が可能となる。つまり、スライダ３０を傾動させるというワンアクションの操作を行うだけで、相手側コネクタＭからの離脱の準備と半嵌合検知の準備の双方が整うようになっているので、離脱時の操作性に優れている。
【００３２】
［他の実施形態］
本発明は上記記述及び図面によって説明した実施形態に限定されるものではなく、例えば次のような実施態様も本発明の技術的範囲に含まれ、さらに、下記以外にも要旨を逸脱しない範囲内で種々変更して実施することができる。
（１）上記実施形態ではスライダの当接部をフード部の前端面に当接させるようにしたが、本発明によれば、当接部をフード部の外面に設けた突起等に当接させるようにしてもよい。
【００３３】
（２）上記実施形態ではスライダの当接部をスライダの後端位置に設けたが、本発明によれば、当接部はスライダの前端部や前後方向中間位置に設けてもよい。
（３）上記実施形態では相手側コネクタと正規嵌合した状態ではスライダが付勢バネの付勢にしたがって前方の位置に復帰するようにしたが、本発明によれば、正規嵌合状態では、スライダが後退して付勢バネに付勢力を蓄勢させた状態のままとしてもよい。
【図面の簡単な説明】
【図１】実施形態１のコネクタの正面図
【図２】コネクタの平面図
【図３】コネクタの背面図
【図４】コネクタの断面図
【図５】コネクタの断面図
【図６】相手側コネクタへの嵌合を開始した直後の状態の断面図
【図７】相手側コネクタへの嵌合が進んでロックアームがロック用受け部に乗り上がり始めた状態の断面図
【図８】ロックアームがロック用受け部に乗り上がった状態の断面図
【図９】スライダが傾動してロックアームに当接した状態の断面図
【図１０】正規嵌合した状態の断面図
【図１１】正規嵌合状態からスライダを後退させた状態の断面図
【図１２】スライダをロック解除姿勢に傾動させてロックアームをロック用受け部から解離させた状態の断面図
【符号の説明】
Ｍ…相手側コネクタ
Ｍａ…フード部
Ｍｃ…ロック用受け部
Ｆ…コネクタ
１０…ハウジング
１７…ロックアーム
１７Ｄ…被押動部
２０…後退規制部
２５…付勢バネ
３０…スライダ
３５…当接部
３６…押動部
３７…被規制部
【図１】
0003887692.tif 000002
【図２】
0003887692.tif 000003
【図３】
0003887692.tif 000004
【図４】
0003887692.tif 000005
【図５】
0003887692.tif 000006
【図６】
0003887692.tif 000007
【図７】
0003887692.tif 000008
【図８】
0003887692.tif 000009
【図９】
0003887692.tif 000010
【図１０】
0003887692.tif 000011
【図１１】
0003887692.tif 000012
【図１２】
0003887692.tif 000013